(57)【要約】  異なる波長の光を放射するＮ個（Ｎは３以上の整数）の発光素子２１と、前記発光素子２１から放射された生体組織１０を介して反射された光を受光し、異なる波長の光に応じた信号を出力するＮ−１個の受光素子２２とを備えるセンサモジュール２０と、前記受光素子２２の出力に基づく信号処理を実行する信号処理部とを含み、前記センサモジュール２０の前記受光素子２２を中心とする同一半径の円周上に、少なくとも２つの前記発光素子２１が配設されている。
2018051975.tif 000002
【特許請求の範囲】
【請求項１】
生体情報を測定するための装置であって、
異なる波長の光を放射するＮ個（Ｎは３以上の整数）の発光素子と、前記発光素子から放射された生体を介して反射された光を受光し、異なる波長の光に応じた信号を出力するＮ−１個の受光素子と、を備えるセンサモジュールと、
前記受光素子の出力に基づく信号処理を実行する信号処理部と、
を含み、
前記センサモジュールの前記受光素子を中心とする同一半径の円周上に、少なくとも２つの前記発光素子が配設されていることを特徴とする、生体情報測定装置。
【請求項２】
前記センサモジュールの前記発光素子は、赤色ＬＥＤ、赤外ＬＥＤまたは近赤外ＬＥＤを含む、請求項１に記載の生体情報測定装置。
【請求項３】
前記センサモジュールの前記受光素子は、赤色領域から赤外線領域または赤外線領域から近赤外線領域の波長の光を受光するフォトダイオードを含む、請求項１または２に記載の生体情報測定装置。
【請求項４】
生体情報を測定するための装置であって、
第１波長の光を放射する第１発光素子と、
第２波長の光を放射する第２発光素子と、
第３波長の光を放射する第３発光素子と、
前記第１発光素子および前記第２発光素子から放射された生体を介して反射された光を受光し、異なる波長の光に応じた信号を出力する第１受光素子と、
前記第２発光素子および前記第３発光素子から放射された生体を介して反射された光を受光し、異なる波長の光に応じた信号を出力する第２受光素子と、
を備えるセンサモジュールと、
前記受光素子の出力に基づく信号処理を実行する信号処理部と、
を含み、
前記センサモジュールの前記第１受光素子を中心とする同一半径の円周上に、前記第１発光素子および前記第２発光素子が配設され、前記第２受光素子を中心とする同一半径の円周上に、前記第２発光素子および前記第３発光素子が配設されていることを特徴とする、生体情報測定装置。
【請求項５】
前記第１発光素子、前記第２発光素子、前記第３発光素子、前記第１受光素子及び前記第２受光素子が、同一直線上に配設されていることを特徴とする、請求項４に記載の生体情報測定装置。
【請求項６】
前記第２波長は、赤外領域の波長であり、
前記第２発光素子は、赤外ＬＥＤである、請求項４または５に記載の生体情報測定装置。
【請求項７】
前記第１波長は、赤色領域の波長であり、前記第２波長は、赤外領域の波長であり、前記第３波長は、近赤外領域の波長であり、
前記第１発光素子は赤色ＬＥＤであり、前記第２発光素子は赤外ＬＥＤであり、前記第３発光素子は近赤外ＬＥＤであり、
前記第１受光素子は赤色領域から赤外線領域の波長の光を受光するフォトダイオードであり、前記第２受光素子は赤外線領域から近赤外線領域の波長の光を受光するフォトダイオードである、請求項４または５に記載の生体情報測定装置。
【請求項８】
前記第１受光素子の受光する波長の領域が、６００〜１０００ｎｍであり、
前記第２受光素子の受光する波長の領域が、９００〜１６００ｎｍである、請求項７に記載の生体情報測定装置。
【請求項９】
前記生体情報が、脈拍、血中酸素濃度または血中グルコース濃度のうちの１つ以上を含む、請求項１〜８のいずれか１項に記載の生体情報測定装置。
【請求項１０】
生体情報を取得するための装置であって、
生体組織または外部の温度を検出する温度センサ、被測定者の動きを検出する加速度セン、ジャイロセンサまたは電気皮膚反応（ＧＳＲ）を検出するＧＳＲセンサのうちの１つ以上を含むセンサ部と、
前記センサ部に接続された制御部と、
所定の光を出力する光出力部および所定の音声を出力する音声出力部のうちの１つ以上を含む警告部と、
前記制御部と外部装置の間で信号の送受信を行う通信部と、
前記制御部に給電するための電源部と、
をさらに含む、請求項１〜９のいずれか１項に記載の生体情報測定装置。
【請求項１１】
前記生体情報が、所定の閾値以下であることの検出に基づいて、前記警告部が所定の光または音声を発するように構成されている、請求項１０に記載の生体情報測定装置。
【請求項１２】
前記生体情報が、所定の閾値以下であることの検出に基づいて、前記通信部を介して異常を知らせる信号を前記外部装置に送信するよう構成されている、請求項１０または１１に記載の生体情報測定装置。
【請求項１３】
前記通信部における前記信号が無線信号である、請求項１０〜１２のいずれか１項に記載の生体情報測定装置。
【請求項１４】
前記外部装置は、前記生体情報を表示可能な表示部を含み、
前記外部装置の前記表示部に、当該生体情報測定装置の前記通信部を介して前記生体情報を表示させることを特徴とする、請求項１０〜１３のいずれか１項に記載の生体情報測定装置。
【請求項１５】
前記電源部は給電用の接続端子を備え、前記接続端子は、バッテリーおよび当該生体情報測定装置に電源を供給可能な前記外部装置のいずれとも接続可能な端子である、請求項１０〜１４のいずれか１項に記載の生体情報測定装置。
【請求項１６】
前記電源部の前記接続端子は、ＵＳＢ端子である、請求項１５に記載の生体情報測定装置。
【請求項１７】
本体部と、前記本体部を生体の測定部位に装着固定するためのバンド部とを備える生体情報測定装置であって、
前記本体部は、
異なる波長の光を放射するＮ個（Ｎは３以上の整数）の発光素子と、前記発光素子から放射された生体を介して反射された光を受光し、異なる波長の光に応じた信号を出力するＮ−１個の受光素子と、を備えるセンサモジュールと、
生体組織または外部の温度を検出する温度センサ、被測定者の動きを検出する加速度セン、ジャイロセンサまたは電気皮膚反応（ＧＳＲ）を検出するＧＳＲセンサのうちの１つ以上を含むセンサ部と、
前記センサ部に接続された制御部と、
所定の光を出力する光出力部および所定の音声を出力する音声出力部のうちの１つ以上を含む警告部と、
前記制御部と外部装置の間で信号の送受信を行う通信部と、
前記制御部に給電するための電源部と、
から構成され、
前記バンド部は、前記本体部を着脱自在に保持するとともに、前記本体部が生体に接触するように内部表面を有する第１バンド部と、
前記第１バンド部の上に装着され、前記生体に接する面または直接漏れ込む光を遮蔽する伸縮性の遮光部材を備える第２バンド部と、
から構成されることを特徴とする、生体情報測定装置。
【発明の詳細な説明】
【技術分野】
【０００１】
本発明は、生体情報測定装置に関する。特に、複数の生体情報を測定する光学式の生体情報測定装置に関する。
【背景技術】
【０００２】
従来から、光学式の生体情報測定装置として、脈拍計やパルスオキシメータ等が知られている。パルスオキシメータは、生体の血液中酸素飽和度を非観血的に測定するものである。その原理は、所定の波長を有する光の酸化ヘモグロビン及び還元ヘモグロビンに対する吸光度の違いを利用し、発光素子により波長の異なる光を生体に放射して各光の吸光度を検出することにより、生体の血液中酸素飽和度を測定するものである（例えば、特許文献１を参照）。
【先行技術文献】
【特許文献】
【０００３】
【特許文献１】特開第３１１６２５５号公報
【発明の概要】
【発明が解決しようとする課題】
【０００４】
ところで、特許文献１に示すようなパルスオキシメータは、２つの発光素子及び１つの受光素子を備えるが、例えば血中酸素飽和度と血中グルコース濃度とを測定するというような、複数の血液成分を含む生体情報を取得することが困難であった。複数の生体情報を所得するためには、それぞれ別個の発光素子と受光素子が必要になる。【０００５】
そこで、図１０に示すような、２つのセンサモジュールを有するパルスオキシメータが想定されるが、４つの発光素子を備える必要があり、装置の小型化および省電力化を図れない、という問題があった。【０００６】
本発明は、簡易な構成により小型化および省電力化を実現した、複数の生体情報を取得可能な生体情報測定装置を提供することを目的とする。
【課題を解決するための手段】
【０００７】
上記目的を達成するため、本発明の１態様の生体情報測定装置は、
異なる波長の光を放射するＮ個（Ｎは３以上の整数）の発光素子と、上記発光素子から放射された生体を介して反射された光を受光し、異なる波長の光に応じた信号を出力するＮ−１個の受光素子とを備えるセンサモジュールと、
上記受光素子の出力に基づく信号処理を実行する信号処理部と、
を含み、
上記センサモジュールの上記受光素子を中心とする同一半径の円周上に、少なくとも２つの上記発光素子が配設されていることを特徴とする。【０００８】
また、上記目的を達成するため、本発明の１態様の生体情報測定装置は、
第１波長の光を放射する第１発光素子と、
第２波長の光を放射する第２発光素子と、
第３波長の光を放射する第３発光素子と、
上記第１発光素子および上記第２発光素子から放射された生体を介して反射された光を受光し、異なる波長の光に応じた信号を出力する第１受光素子と、
上記第２発光素子および上記第３発光素子から放射された生体を介して反射された光を受光し、異なる波長の光に応じた信号を出力する第２受光素子と、
を備えるセンサモジュールと、
上記受光素子の出力に基づく信号処理を実行する信号処理部と、
を含み、
上記センサモジュールの上記第１受光素子を中心とする同一半径の円周上に、上記第１発光素子および上記第２発光素子が配設され、上記第２受光素子を中心とする同一半径の円周上に、上記第２発光素子および上記第３発光素子が配設されていることを特徴とする。
【発明の効果】
【０００９】
本発明によれば、簡易な構成により小型化および省電力化を実現した、複数の生体情報を取得可能な生体情報測定装置を提供することができる。
【図面の簡単な説明】
【００１０】
【図１】本発明の第１実施形態に係る生体情報測定装置におけるセンサモジュールの構成例を示す図である。
【図２Ａ】本発明の第１実施形態に係る生体情報測定装置におけるセンサモジュールの発光素子と受光素子の配置を示す概略平面図である。
【図２Ｂ】本発明の第１実施形態に係る生体情報測定装置におけるセンサモジュールの発光素子と受光素子の配置を示す概略平面図である。
【図３】本発明の第２実施形態に係る生体情報測定装置の機能的構成を示すブロック図である。
【図４】本発明の第３実施形態に係る生体情報測定装置の機能的構成を示すブロック図である。
【図５】本発明の第３実施形態に係る生体情報測定装置の１例としての外観構成を示す図である。
【図６】本発明の第４実施形態に係る生体情報測定装置の１例としての外観構成を示す図である。
【図７】本発明の第５実施形態に係る生体情報測定装置の１例としての外観構成を示す図である。
【図８】本発明の第４実施形態に係る生体情報検出装置を、外部装置に取り付けた模式図である。
【図９】本発明の生体情報測定装置を生体組織に装着固定するためのバンド部を示す模式図である。
【図１０】従来の生体情報測定装置におけるセンサモジュールの構成例を示す図である。
【発明を実施するための形態】
【００１１】
以下に、本発明に係る生体情報測定装置の各種の実施形態を、図面を参照しながら詳細に説明する。
【００１２】
図１は、本発明の第１実施形態に係る生体情報測定装置におけるセンサモジュールの構成例を示す図である。本発明のセンサモジュール２０は、３つの発光素子２１及び２つの受光素子２２を備える。本発明のセンサモジュール２０は、上述した図１０に示すものと比較し、１つ発光素子２１が少ないことを特徴としている。
【００１３】
図１に示すセンサモジュール２０を備える生体情報測定装置１００は、３つの発光素子２１からそれぞれ異なる波長の光を生体組織１０に放射し、その反射光を共通の２つの受光素子２２により受光し、波長の光に応じた信号を出力する。これにより、パルスオキシメータの特徴である被測定者の体動に伴う信号の変動の吸収及び血中酸素飽和度の取得を実現しつつ、血中グルコース濃度も測定するように、複数の血液成分を含む生体情報を取得することができる。また、生体の同一成分を測定しその平均値を算出することが可能であり、さらに、一方の受光素子に異常が生じても他方の受光素子が正常であれば、求める生体情報を取得することも可能であるため、測定値の信頼性向上が実現される。さらに、従来の装置と比較し１つ発光素子２１が少ない簡易な構成により、従来の発光素子２１に必要な実装スペースや、駆動回路による電圧ロス等が解消され、装置の小型化および省電力化が実現される。
【００１４】
図２Ａおよび図２Ｂは、本発明の生体情報測定装置におけるセンサモジュールの発光素子と受光素子の配置を示す概略平面図である。センサモジュール２０は、Ｎ個の発光素子２１とＮ−１個の受光素子２２を備える。図２Ａは、Ｎが３の場合の配置の１例、図２Ｂは、Ｎが５の場合の配置の１例を示す。
【００１５】
第１発光素子２１と第２発光素子２１が、第１受光素子２２を中心とした１点鎖線に示す半径ｒの円周上に配設され、第２発光素子２１と第３発光素子２１が、第２受光素子２２を中心とした１点鎖線に示す半径ｒの円周上に配設されている。上記半径ｒは、２つの発光素子２１と共通の受光素子２２との中心間隔を示すものである。センサモジュール２０の小型化を実現するため、半径ｒは１ｍｍ以内が好ましい。なお、図２Ａのように、第１発光素子、第２発光素子、第３発光素子、第１受光素子及び第２受光素子は、同一直線上に配設されてもよい。
【００１６】
また、図２Ｂでは、発光素子２１と受光素子２２の配設形状が２列となるように配設されているが、必ずしもその必要はなく、例えば１列や３列に配設形状されていてもよい。要するに、発光素子２１は共通の受光素子２２との間の距離が同一となるようにその受光素子の周りに設けられていればよい。
【００１７】
図３は、本発明の第２実施形態に係る生体情報測定装置の機能的構成を示すブロック図である。本実施形態に係る生体情報測定装置１００は、センサモジュール２０及び信号処理部３０を備える。発光素子２１は、赤色領域の波長を放射する赤色ＬＥＤ７１、赤外領域の波長を放射する赤外ＬＥＤ７２及び近赤外領域の波長を放射する近赤外ＬＥＤ７３を備える。受光素子は、赤色領域から赤外領域の波長の光を受光するフォトダイオード７４及び赤外領域から近赤外領域の波長の光を受光するフォトダイオード７５を備える。信号処理部３０は、スイッチ回路３１、アンプ回路３２、ローパスフィルタ３３、ハイパスフィルタ３４、ＡＤ変換回路３５及びマイクロコントローラ３６を備える。なお、フォトダイオード７４の受光する波長の領域は、６００〜１０００ｎｍが好ましい。フォトダイオード７５の受光する波長の領域は、９００〜１６００ｎｍが好ましい。
【００１８】
センサモジュール２０の赤色ＬＥＤ７１、赤外ＬＥＤ７２及び近赤外ＬＥＤ７３は、スイッチ回路３１により選択的に発光され、生体組織１０に異なる波長の光を照射する。生体組織１０を介して反射された光は、センサモジュール２０のフォトダイオード７４及び７５により受光され、波長に応じた信号を出力する。スイッチ回路３１は、フォトダイオード７４及び７５から出力された信号を、アンプ回路３２にそれぞれ振り分け、出力する。ここで、それぞれのアンプ回路３２は、スイッチ回路３１による開放時のアンプ回路３２の出力電圧の低下を防ぐため開放時にそれまでの電圧を保持するためのホールド回路を備える。ローパスフィルタ３３は、アンプ回路３２から出力された信号を、所定のカットオフ周波数で低域濾過し、出力する。ハイパスフィルタ３４は、ローパスフィルタ３３から出力された信号を、所定のカットオフ周波数で高域濾過し、出力する。ＡＤ変換回路３５は、ハイパスフィルタ３４から出力された信号をアナログ信号からデジタル信号に変換して出力する。マイクロコントローラ３６は、ＡＤ変換回路３５から出力されたデジタル信号に基づいて、波形整形などの信号処理を実行し、測定結果としての生体情報を出力する。取得する生体情報は、脈拍、血中酸素濃度または血中グルコース濃度のうちの１つ以上を含む。
【００１９】
なお、上記に記載した各種の処理は、記載に従って時系列に実行されるのみならず、処理を実行する装置の処理能力あるいは必要に応じて並列的にあるいは個別に実行されてもよい。
【００２０】
図４は、本発明の第３実施形態に係る生体情報測定装置の機能的構成を示すブロック図である。第３実施形態に係る生体情報測定装置１００は、上述した第２実施形態に係る生体情報測定装置１００に加えて、温度センサ８０、加速度センサ８２、ジャイロセンサ８４、ＧＳＲセンサ８６、制御部８８、警告部９０、通信部９２及び電源部９４をさらに含む。
【００２１】
温度センサ８０は、被測定者の生体温度や外部温度を検出する機能を備える。温度センサ８０は、制御部８８に接続され、検出した信号を制御部８８に出力する。
【００２２】
加速度センサ８２及びジャイロセンサ８４は、被測定者の体動を検出する機能を備える。加速度センサ８２及びジャイロセンサ８４は、制御部８８に接続され、検出した信号を制御部８８に出力する。本実施形態のように、加速度センサ８２及びジャイロセンサ８４の両方を有して構成し、両方のセンサの検出結果を併用してもよいし、いずれか単独でもよい。
【００２３】
ＧＳＲセンサ８６は、被測定者のＧＳＲ（ｇａｌｖａｎｉｃ ｓｋｉｎ ｒｅｓｐｏｎｓｅ 皮膚電気反射）値を検出する機能を備える。ＧＳＲセンサ８６は、制御部８８に接続され、検出した信号を制御部８８に出力する。
【００２４】
制御部８８は、上述した各種センサに接続されている。制御部８８は、マイクロコントローラ３６を含み、生体情報測定装置１００の動作全般を制御する制御装置及び信号処理装置である。制御部８８は、実行される制御プログラム、処理結果及び各種データなどを記憶する機能も備える。制御部８８は、各種センサを制御し、生体情報の測定データの取得、解析及び出力動作を行う。これらの測定データは、各種センサで検出する信号を取得する度に通信部９２を介して外部装置４００に送信するようにしてもよいし、制御部８８に一旦格納しておいて定期的に送信するようにしてもよい。また、取得した測定データを外部装置４００に送信する場合、上述した測定データのデータ解析は、外部装置４００で行ってもよい。
【００２５】
なお、上記各種センサから制御部８８に出力される信号は、アナログ信号であるので、制御部８８は、入力されるアナログ信号をデジタル信号に変換するＡＤ変換機能を備える。ただし、入力されるアナログ信号を直接、外部装置４００に送信する場合には、ＡＤ変換機能を備えなくてよい。
【００２６】
得られる生体情報としては、例えば、発汗、心拍、脈波、皮膚温度、皮膚電気反射、皮膚抵抗値、血中酸素飽和度、血中グルコース濃度等があり、生体情報測定装置１００の利用目的に応じて適宜採択すればよい。
【００２７】
警告部９０は、所定の光を出力する光出力部または所定の音声を出力する音声出力部を備える。取得した生体情報が、所定の閾値以下であることの検出に基づいて、被測定者などに所定の光または音声を発する機能を備える。また、被測定者によって、生体情報の測定が停止された後に、一定時間測定が開始されない場合に、警告部９０が測定の再開を促すよう、光や音声を発してもよい。
【００２８】
通信部９２は、制御部８８により信号処理された測定データを、外部装置４００へ無線または有線で送信する機能を備える。また、取得した生体情報が所定の閾値以下であることの検出に基づいて、異常を知らせる信号を外部装置４００に送信する機能を備える。本実施形態では、例えば赤外線通信やＢｌｕｅｔｏｏｔｈ（登録商標）等の方式で、無線送受信機４０２を備える外部装置４００へ送信する。
【００２９】
また、通信部９２は、ケーブル９８により外部の情報装置に送信してもよい。この場合、給電はこのケーブル９８の電源ラインを利用して行うので、ケーブル９８を介した外部装置４００との接続時には同時に給電することになる。ケーブル９８は、ＵＳＢケーブルでもよい。
【００３０】
電源部９４は、着脱可能な外付けのバッテリー９６または電源供給可能な外部装置４００と接続するための接続端子、電源回路及び充電回路を備える。この接続端子は、ＵＳＢ端子でもよい。
【００３１】
外部装置４００は、無線送受信部４０２を備える。例えば携帯端末やタブレット端末などが挙げられる。外部装置４００は、通信部９２から受信した測定データなどを表示できる、表示部を備えるものがよい。これにより、生体情報測定装置１００の被測定者は、自身の現在または過去の生体情報を数値で確認することができる。
【００３２】
なお、生体情報測定装置１００および外部装置４００は、本実施形態の構成に限定されず、これらの一部の構成要素を省略したり、他の構成要素を追加したりするなどの種々の変形実施が可能である。
【００３３】
図５は、本発明の第３実施形態に係る生体情報測定装置の１例としての外観構成を示す図である。本実施形態に係る生体情報測定装置１００の外観には、筐体９７、２つのフォトダイオード７４及び７５、ＧＳＲセンサ８６、所定の光や音を出力する警告部９０及び着脱可能な外付けのバッテリー９６を示している。本実施形態では、筐体９７は、略直方体の箱状の部材であり、光透過窓を備える。光透過窓は、光を透過する部材で形成され、光透過窓を透過した光は、センサモジュールの受光素子により受光される。筐体９７の内部は各種センサなどの配置空間となる。本実施形態では、有線のケーブルを有さず、ウェアラブル型の装置となる。なお、筐体９７の厚みは薄いほうが適しており、３ｍｍ以下であるとよい。
【００３４】
図６は、本発明の第４実施形態に係る生体情報測定装置の１例としての外観構成を示す図である。本実施形態に係る生体情報測定装置１００の外観には、筐体９７、２つのフォトダイオード７４及び７５、ＧＳＲセンサ８６、所定の光や音を出力する警告部９０、ケーブル９８を示している。本実施形態に係る生体情報測定装置１００は、ケーブル９８を介して、外部装置４００から給電する。また、ケーブル９８を介して外部の情報装置４００にデータを送信することができる。ケーブル９８はＵＳＢケーブルでもよい。本実施形態では、ポータブル型の装置となる。
【００３５】
図７は、本発明の第５実施形態に係る生体情報測定装置の１例としての外観構成を示す図である。本実施形態に係る生体情報測定装置１００の外観には、筐体９７、２つのフォトダイオード７４及び７５、ＧＳＲセンサ８６、所定の光や音を出力する警告部９０、接続端子９９を示している。接続端子９９は、バッテリー９６および外部装置４００いずれにも接続可能である。接続端子９９はＵＳＢ接続端子でもよい。
【００３６】
本実施形態では、第３実施形態に示したウェアラブル型、第４実施形態に示したポータブル型、いずれの装置にもなる。本実施形態によれば、ウェアラブル型、ポータブル型の装置をそれぞれ別個に製造する必要がなく、工数と製造コストを削減することができる。
【００３７】
図８は、本発明の第４実施形態に係る生体情報検出装置を、外部装置に取り付けた模式図である。生体情報測定装置１００は、ケーブル９８を介して、外部装置４００と接続され、外部装置４００から電力が供給されたり、外部装置４００との間でデータ通信が実行されたりする。表示部を備える外部装置４００であれば、生体情報測定装置１００により得られた測定データが外部装置４００に表示される構成をとる。本発明の光センセモジュール２０は、小型化が実現されているため、厚みが薄く、相対的に本実施形態に係る生体情報測定装置１００の筐体９７も小型で薄くなる。このため、図８に示すように、本実施形態に係る生体情報測定装置１００は、外部装置４００の上面に備えることができ、被測定者の行動を制限せず、携帯性に優れる。
【００３８】
図９は、本発明の生体情報測定装置を生体組織に装着固定するためのバンド部を示す模式図である。バンド部は、第１バンド部５００及び第２バンド部５０２を備える。第１バンド部５００は、生体情報測定装置１００を着脱自在に保持するとともに、生体組織１０に接触するように内部表面を備える。本図では、例えば、第１バンド部５００の図に示す点線部分に生体情報測定装置１００を格納できる穴部を備える。第２バンド部５０２は、第１バンド部５００の上に装着され、生体組織１０に接する面または直接漏れ込む光を遮蔽する伸縮性の遮光部材を備える。
【００３９】
なお、本図では、生体の手首に巻いて装着するバンド型の生体情報測定装置１００を例に挙げて説明したが、本発明を適用可能な生体情報処理装置１００はこれに限られない。例えば、指先に装着して生体情報を測定する指装着型や、眼鏡のフレームに測定装置を格納した眼鏡型の生体情報測定装置１００に適用することも可能である。
【００４０】
上記の実施の形態は、本発明を実施するにあたっての具体化の一例を示したものに過ぎず、これらによって本発明の技術的範囲が限定的に解釈されてはならないものである。すなわち、本発明はその要旨またはその主要な特徴から逸脱することなく、様々な形で実施することができる。
さらに、上記に記載した各実施形態、動作の構成は、相互に矛盾しない限り任意に組み合わせて実施可能であることはもちろんである。
【００４１】
本出願は、２０１６年９月１４日に出願された日本出願特願２０１６−１７９３８０号に基づく優先権を主張し、この日本出願に記載された全ての記載内容を援用するものである。
【符号の説明】
【００４２】
１０    生体組織
１１    血液
２０    センサモジュール
２１    発光素子
２２    受光素子
３０    信号処理部
７１    赤色ＬＥＤ
７２    赤外ＬＥＤ
７３    近赤外ＬＥＤ
７４    フォトダイオード
７５    フォトダイオード
８０    温度センサ
８２    加速度センサ
８４    ジャイロセンサ
８６    ＧＳＲセンサ
８８    制御部
９０    警告部
９２    通信部
９４    電源部
９６    バッテリー
９８    ケーブル
９９    接続端子
１００  生体情報測定装置
４００  外部装置
４０２  無線送受信部
５００  第１バンド部
５０２  第２バンド部
【図１】
2018051975.tif 000003
【図２Ａ】
2018051975.tif 000004
【図２Ｂ】
2018051975.tif 000005
【図３】
2018051975.tif 000006
【図４】
2018051975.tif 000007
【図５】
2018051975.tif 000008
【図６】
2018051975.tif 000009
【図７】
2018051975.tif 000010
【図８】
2018051975.tif 000011
【図９】
2018051975.tif 000012
【図１０】
2018051975.tif 000013
【国際調査報告】
2018051975.tif 000014
2018051975.tif 000015
2018051975.tif 000016
2018051975.tif 000017